(57)【要約】【課題】使い勝手および演出性を高めることができるトイレシステムを提供する。【解決手段】便器と、前記便器の上に設けられた便座と、第１照明と、を有し、トイレ室内に設けられるトイレ装置と、前記トイレ室内における人体の検知を行う人体検知センサと、前記トイレ装置を操作するためのリモコンと、前記トイレ室内の側壁に設けられ、第２照明を有する鏡と、下方を照らす第３照明を有し、前記トイレ室内において前記鏡の下方に設けられ、前記トイレ室の床面と離間するキャビネットと、前記第１照明と、前記第２照明と、前記第３照明と、を制御する制御部と、を備え、前記制御部は、前記入室検知センサが人体を検知した後に前記第１照明および前記第２照明を点灯させ、前記第１照明および前記第２照明を点灯させた後に前記第３照明を点灯させることを特徴とするトイレシステム。【選択図】図１
2017169901.tif 000002
【特許請求の範囲】
【請求項１】
便器と、前記便器の上に設けられた便座と、第１照明と、を有し、トイレ室内に設けられるトイレ装置と、
前記トイレ室内における人体の検知を行う人体検知センサと、
前記トイレ装置を操作するためのリモコンと、
前記トイレ室内の側壁に設けられ、第２照明を有する鏡と、
下方を照らす第３照明を有し、前記トイレ室内において前記鏡の下方に設けられ、前記トイレ室の床面と離間するキャビネットと、
前記第１照明と、前記第２照明と、前記第３照明と、を制御する制御部と、
を備え、
前記制御部は、前記入室検知センサが人体を検知した後に前記第１照明および前記第２照明を点灯させ、前記第１照明および前記第２照明を点灯させた後に前記第３照明を点灯させることを特徴とするトイレシステム。
【請求項２】
便器と、前記便器の上に設けられた便座と、第１照明と、を有し、トイレ室内に設けられるトイレ装置と、
前記トイレ室内における人体の検知を行う人体検知センサと、
前記トイレ装置を操作するためのリモコンと、
前記トイレ室内の側壁に設けられ、第２照明を有する鏡と、
下方を照らす第３照明を有し、前記トイレ室内において前記鏡の下方に設けられ、前記トイレ室の床面と離間するキャビネットと、
前記第１照明と、前記第２照明と、前記第３照明と、を制御する制御部と、
を備え、
前記制御部は、前記人体検知センサが人体を検知した後に前記第３照明を点灯させ、前記第３照明を点灯させた後に前記第１照明および前記第２照明を点灯させることを特徴とするトイレシステム。
【請求項３】
前記制御部は、前記第１照明、前記第２照明、および前記第３照明のそれぞれを点灯させる際に、それぞれの照度を徐々に高めることを特徴とする請求項１または２に記載のトイレシステム。
【請求項４】
前記制御部は、
前記第１照明を点灯させた際に、前記第１照明の照度を第１照度まで高め、
前記第２照明を点灯させた際に、前記第２照明の照度を第２照度まで高め、
前記第３照明を点灯させた際に、前記第３照明の照度を第３照度まで高め、
前記第３照明の点灯を開始してから前記第３照度まで高める間の時間は、前記第１照明の点灯を開始してから前記第１照度まで高める間の時間および前記第２照明の点灯を開始してから前記第２照度まで高める間の時間よりも長いことを特徴とする請求項３記載のトイレシステム。
【請求項５】
前記リモコンによって、前記第１照明、前記第２照明、および前記第３照明の少なくともいずれかの照度および色温度の少なくとも一方を設定できることを特徴とする請求項１〜４のいずれか１つに記載のトイレシステム。
【発明の詳細な説明】
【技術分野】
【０００１】
本発明の態様は、一般的に、トイレシステムに関する。
【背景技術】
【０００２】
トイレ室の内部に複数の照明を設けると、使い勝手や演出性を高めることが可能である。例えば、特許文献１では、トイレ室の内部において、間接的に足元を照らす技術が開示されている。また、特許文献２では、動作に合わせて機器の照明を順次点灯させる技術が開示されている。
【先行技術文献】
【特許文献】
【０００３】
【特許文献１】特許第５０２４４０２号明細書
【特許文献２】特開２００１−６５０３３号公報
【発明の概要】
【発明が解決しようとする課題】
【０００４】
しかし、従来のトイレ室について、その使い勝手および照明による演出性については、未だ改善の余地がある。
本発明は、かかる課題の認識に基づいてなされたものであり、使い勝手や演出性を高めることができるトイレシステムを提供することを目的とする。
【課題を解決するための手段】
【０００５】
第１の発明は、便器と、前記便器の上に設けられた便座と、第１照明と、を有し、トイレ室内に設けられるトイレ装置と、前記トイレ室内における人体の検知を行う人体検知センサと、前記トイレ装置を操作するためのリモコンと、前記トイレ室内の側壁に設けられ、第２照明を有する鏡と、下方を照らす第３照明を有し、前記トイレ室内において前記鏡の下方に設けられ、前記トイレ室の床面と離間するキャビネットと、前記第１照明と、前記第２照明と、前記第３照明と、を制御する制御部と、を備え、前記制御部は、前記入室検知センサが人体を検知した後に前記第１照明および前記第２照明を点灯させ、前記第１照明および前記第２照明を点灯させた後に前記第３照明を点灯させることを特徴とするトイレシステムである。
【０００６】
このトイレシステムによれば、まず人の目線の高さに比較的近い位置が第１照明および第２照明によって照らされるため、トイレ室内の状況の認識および確認がすぐに行える。そして、その後に第３照明によってトイレ室の床面が照らされることで、足元の安全確認を行うことができる。このため、トイレ室の使い勝手を向上させることができる。また、各照明をずらして点灯させることで、トイレ室内における明るさの変化を抑え、使用者への眩しさを低減させるとともに、照明による演出性を高めることが可能となる。
【０００７】
第２の発明は、便器と、前記便器の上に設けられた便座と、第１照明と、を有し、トイレ室内に設けられるトイレ装置と、前記トイレ室内における人体の検知を行う人体検知センサと、前記トイレ装置を操作するためのリモコンと、前記トイレ室内の側壁に設けられ、第２照明を有する鏡と、下方を照らす第３照明を有し、前記トイレ室内において前記鏡の下方に設けられ、前記トイレ室の床面と離間するキャビネットと、前記第１照明と、前記第２照明と、前記第３照明と、を制御する制御部と、を備え、前記制御部は、前記人体検知センサが人体を検知した後に前記第３照明を点灯させ、前記第３照明を点灯させた後に前記第１照明および前記第２照明を点灯させることを特徴とするトイレシステムである。
【０００８】
このトイレシステムによれば、使用者がトイレ室に入室した際に、まずトイレ室の床面が照らされるため、安全にトイレ室内を移動することができる。また、第３照明を点灯させた後に、第１照明および第２照明を点灯させるため、トイレ室内における明るさの変化を抑え、使用者への眩しさを低減させるとともに、照明による演出性を高めることが可能となる。
【０００９】
第３の発明は、第１または第２の発明において、前記制御部は、前記第１照明、前記第２照明、および前記第３照明のそれぞれを点灯させる際に、それぞれの照度を徐々に高めることを特徴とするトイレシステムである。
【００１０】
このトイレシステムによれば、トイレ室内における明るさの変化をより一層抑制しつつ、演出性をさらに高めることが可能となる。
【００１１】
第４の発明は、第３の発明において、前記制御部は、前記第１照明を点灯させた際に、前記第１照明の照度を第１照度まで高め、前記第２照明を点灯させた際に、前記第２照明の照度を第２照度まで高め、前記第３照明を点灯させた際に、前記第３照明の照度を第３照度まで高め、前記第３照明の点灯を開始してから前記第３照度まで高める間の時間は、前記第１照明の点灯を開始してから前記第１照度まで高める間の時間および前記第２照明の点灯を開始してから前記第２照度まで高める間の時間よりも長いことを特徴とするトイレシステムである。
【００１２】
このトイレシステムによれば、第３照明は、トイレ室の床面を照らすものであり、第１照明および第２照明に比べて、使用者の視界に入り難い。第３照明の点灯開始から所定の照度に達するまでの時間を、第１照明および第２照明の点灯開始から所定の照度に達するまでの時間よりも長くすることで、使用者に対して照明の演出効果の訴求性を高めるとともに、第３照明の点灯と、第１照明および第２照明の点灯と、の間で緩急を付け、演出性をより一層高めることが可能となる。
【００１３】
第５の発明は、第１〜第４のいずれかの発明において、前記リモコンによって、前記第１照明、前記第２照明、および前記第３照明の少なくともいずれかの照度および色温度の少なくとも一方を設定できることを特徴とするトイレシステムである。
【００１４】
このトイレシステムによれば、照度および色温度の少なくとも一方をトイレシステムの使用者に応じて変更することができる。
【発明の効果】
【００１５】
本発明の態様によれば、使い勝手および演出性を高めることができるトイレシステムが提供される。
【図面の簡単な説明】
【００１６】
【図１】第１実施形態に係るトイレシステムの斜視図である。
【図２】第１実施形態に係るトイレシステムが有するトイレ装置を表す図である。
【図３】第１実施形態に係るトイレシステムの一部の断面図である。
【図４】第１実施形態に係るトイレシステムが有するリモコンの斜視図である。
【図５】第１実施形態に係るトイレシステムが有する各構成要素の動作の一例を表すタイミングチャートである。
【図６】第１実施形態に係るトイレシステムが有する各構成要素の動作の他の一例を表すタイミングチャートである。
【図７】第１実施形態に係るトイレシステムが有する各構成要素の動作の他の一例を表すタイミングチャートである。
【図８】第１実施形態に係るトイレシステムが有する各構成要素の動作の他の一例を表すタイミングチャートである。
【図９】第２実施形態に係るトイレシステムが有する各構成要素の動作の一例を表すタイミングチャートである。
【図１０】第２実施形態に係るトイレシステムが有する各構成要素の動作の一例を表すタイミングチャートである。
【図１１】第２実施形態に係るトイレシステムが有する各構成要素の動作の一例を表すタイミングチャートである。
【図１２】第２実施形態に係るトイレシステムが有する各構成要素の動作の一例を表すタイミングチャートである。
【発明を実施するための形態】
【００１７】
（第１実施形態）
以下、本発明の第１実施形態について図面を参照しつつ説明する。なお、各図面中、同様の構成要素には同一の符号を付して詳細な説明は適宜省略する。
図１は、第１実施形態に係るトイレシステム１の斜視図である。
本実施形態に係るトイレシステム１は、トイレ装置１０と、鏡２０と、キャビネット３０と、リモコン５０と、を備える。図１に表したように、トイレシステム１は、さらに、手洗い器４０を備えていてもよい。トイレ装置１０、鏡２０、キャビネット３０、手洗い器４０、およびリモコン５０は、トイレ室ＴＲの内部に設けられている。
【００１８】
本願明細書においては、各実施形態の説明のために、「方向」を用いる。これらの「方向」は、全て、トイレ装置１０の便座に着座した使用者からみた場合の方向を表している。例えば、便座に着座した使用者からみて前方を「前方」とし、便座に着座した使用者からみて右側方を「右側方」としている。
【００１９】
図１に表したように、トイレ装置１０は、トイレ室ＴＲの床面ＦＳ上に設置されている。あるいは、トイレ装置１０は、トイレ装置１０後方の側壁に、支柱によって支持されていてもよい。
【００２０】
図２（ａ）は、第１実施形態に係るトイレシステム１が有するトイレ装置１０の平面図であり、図２（ｂ）は、当該トイレ装置１０の斜視図である。
図２（ａ）および図２（ｂ）に表したように、トイレ装置１０は、便器１１と、便座１２と、便蓋１３と、本体部１４と、照明１６と、を有する。
【００２１】
便座１２は、便器１１の上に設けられている。便蓋１３は、便器１１の上に、便座１２を覆うように設けられている。本体部１４は、便器１１の後方上部に設けられている。便座１２および便蓋１３は、本体部１４によって回動可能に軸支されている。
【００２２】
本体部１４は、制御部１５と、人体検知センサ１７と、着座検知センサ１８と、を有する。人体検知センサ１７は、例えば、赤外線センサやマイクロ波センサなどであり、トイレ室ＴＲへの人体の入室を検知する。着座検知センサ１８は、例えば、赤外線を用いた測距センサであり、便座１２への人体の着座を検知する。人体検知センサ１７および着座検知センサ１８は、検知結果を制御部１５に送信する。制御部１５は、人体検知センサ１７および着座検知センサ１８から送信された検知結果に基づき、トイレ室ＴＲ内に設けられた種々の構成要素の動作を制御する。
【００２３】
照明１６は、便器１１の後方に設けられ、本体部１４の上に位置している。照明１６は、点灯時においてトイレ装置１０の後方に向けて光Ｌ１を照射し、トイレ装置１０の後方の壁を照らす。または、照明１６は、便器１１の両側の側方に設けられていてもよい。この場合、照明１６は、点灯時においてトイレ装置１０の側方に向けて光を照射する。あるいは、照明１６は、トイレ装置１０の側方および後方に設けられていてもよい。
【００２４】
トイレ装置１０は、便座１２を温める暖房便座機能や便座１２に着座した使用者の局部を洗浄する局部洗浄機能などを、さらに有していてもよい。
【００２５】
図３は、第１実施形態に係るトイレシステム１の一部の断面図である。
より具体的には、図３は、鏡２０、キャビネット３０、およびリモコン５０を含む、側壁ＳＷ１に対して垂直な面における断面構造を表す。また、図３では、手洗い器４０の断面構造が、破線で表されている。
【００２６】
鏡２０は、図３に表したように、制御部２１と、照明２２と、支持部２３と、を有する。鏡２０は、トイレ室ＴＲ内部の側壁ＳＷ１に、支持部２３によって固定して設けられている。また、鏡２０は、トイレ装置１０の側方に位置しており、トイレ室ＴＲ内部に面する鏡面を有する。制御部２１は、制御部１５から送られた信号を受信し、当該信号に基づいて照明２２を点灯または消灯させる。照明２２は、点灯時において鏡２０の下方に向けて光Ｌ２を照射する。照明２２の一部は、手洗い器４０の上方に位置しており、照明２２の点灯時には、光Ｌ２によって手洗い器４０が照らされる。
【００２７】
照明２２は、例えば、鏡２０下部の裏側に設けられる。照明２２は、手洗い器４０をより強く照らすために、図２に表した例よりもトイレ室ＴＲの室内側に向けて傾けて設けられていてもよい。または、鏡２０下方の側壁ＳＷ１をより強く照らすために、側壁ＳＷ１側に向けて傾けて設けられていてもよい。
なお、図２に表す例に限られず、照明２２は、鏡２０の表側に設けられていてもよい。この場合、照明２２は、例えば、鏡２０の下端に沿って設けられる。あるいは、照明２２が鏡２０の上端および下端の両方に設けられていてもよい。この場合、それぞれの照明２２は、鏡２０の上端および下端に沿って設けられる。ただし、いずれの構成においても、照明２２は、鏡２０の下方に向けて光を照射する。
【００２８】
キャビネット３０は、内部に空間を有し、この内部空間に備品を収納可能に構成されている。キャビネット３０は、鏡２０の下方において、トイレ室ＴＲの側壁ＳＷ１に取り付けられている。また、キャビネット３０は、トイレ室ＴＲの床面ＦＳと離間しており、キャビネット３０と床面ＦＳとの間には空間が形成されている。キャビネット３０は、例えば取手が無いプッシュ式であり、使用者は、前面の扉を押すことで引き出しを開けることができる。
【００２９】
図３に表したように、キャビネット３０は、制御部３１と、カバー３２と、照明３３と、を有する。制御部３１は、制御部１５から送られた信号を受信し、当該信号に基づいて照明３３を点灯または消灯させる。カバー３２は、一端がキャビネット３０の底面に固定されている。また、カバー３２は、他端が側壁ＳＷ１に向けて延び、当該他端が床面ＦＳと平行であり且つキャビネット３０の底面と離間するように屈曲している。照明３３は、カバー３２の他端の上に載置されている。このため、照明３３は、トイレ室ＴＲの内部からは見えない位置に設けられている。照明３３は、側壁ＳＷ１に向けて光Ｌ３を照射する。光Ｌ３の一部は、側壁ＳＷ１によって反射され、キャビネット３０下方の床面ＦＳを照らす。
【００３０】
図１に表したように、手洗い器４０は、ボウル４１と、水栓４２と、を有する。手洗い器４０は、キャビネット３０の一部の上に設けられている。キャビネット３０の中には、ボウル４１の排水口と接続された不図示の配水管が設けられている。照明２２の点灯時には、手洗い器４０近傍を含むキャビネット３０の上面が照らされる。
【００３１】
リモコン５０は、例えば、キャビネット３０に埋め込まれている。また、リモコン５０の下方には、空間が形成されている。この空間の内部には紙巻器（ペーパーホルダ）が設けられており、この紙巻器によってトイレットペーパーが保持される。
【００３２】
図４は、第１実施形態に係るトイレシステム１が有するリモコンの斜視図である。
図４（ａ）は、リモコン５０が開いた状態を表し、図４（ｂ）は、リモコン５０が閉じた状態を表している。
図３および図４に表したように、リモコン５０は、制御部５１と、操作部５２と、照明５３と、照明５４と、を有する。図４（ａ）に表したように、操作部５２は、通常はリモコン５０内部に収納されている。一方で、着座検知センサ１８が使用者の着座を検知すると、制御部１５を介して制御部５１に信号が送信され、図４（ｂ）に表したように、使用者が操作可能なように操作部５２が回動して開く。使用者は、操作部５２を用いて、例えば局部洗浄機能の開始および停止や、便器１１の洗浄、便座暖房機能のオン・オフなどを操作することができる。
【００３３】
また、制御部５１は、人体検知センサ１７の検知結果に基づいて照明５３および照明５４を点灯または消灯させる。操作部５２は、例えば、ボタン５２ａ〜５２ｃおよびタッチスクリーン５２ｄを有しており、照明５３は、点灯時において、これらの要素をリモコン５０の内部側から照らす。照明５４は、点灯時において、光Ｌ４を照射し、リモコン５０の下方に設けられた紙巻器近傍を照らす。
【００３４】
上述した照明１６、２２、３３、５３、および５４は、例えばＬＥＤ（light emitting diode）である。使用者は、操作部５２を操作することで、照明１６、２２、３３、５３、および５４のそれぞれの照度や色温度を変更することができる。一例として、使用者は、操作部５２を操作し、照度および色温度のレベルを選択することで、各照明の照度および色温度を一括して段階的に変更することができる。
【００３５】
なお、ここでは、リモコン５０がキャビネット３０に埋め込まれている場合について説明したが、リモコン５０は、キャビネット３０の前面に取りつけられたものであってもよい。この場合、リモコン５０は、タッチスクリーン５２ｄや照明５３などを有していなくてもよい。
【００３６】
次に、図５を用いて、本実施形態における各構成要素の動作について説明する。
図５は、第１実施形態に係るトイレシステム１が有する各構成要素の動作の一例を表すタイミングチャートである。
図５において、チャートの左側には各構成要素の名称が記載されている。また、それぞれの構成要素の下には、参考のために、各構成要素を有するユニットの名称が記載されている。また、図５において、横軸は時間を表し、縦軸は各構成要素の動作を表している。
【００３７】
まず、図５を用いて、第１実施形態に係るトイレシステム１における通常の動作について説明する。
図５において、タイミングｔ０は、人体検知センサ１７によって人体が検知されておらず、着座検知センサ１８によって着座が検知されていない状態である。この状態では、便蓋１３および操作部５２は閉じ、各照明は消灯している。
【００３８】
次に、タイミングｔ１で人体検知センサ１７によって人体（トイレシステム１の使用者）が検知されると、便蓋１３が開き、照明１６、２２、５３、および５４が点灯し始める。このとき、一例として、照明５３および５４の照度は、ステップ状に増大する。これに対して、照明１６および照明２２の照度は、徐々に増大し、タイミングｔ１から所定時間後のタイミングｔ２において一定の照度に達する。また、タイミングｔ１では、照明３３は、点灯を開始せず、消灯したままである。
【００３９】
次に、タイミングｔ１から所定時間後のタイミングｔ３で、照明３３が点灯し始める。図５に表した例では、タイミングｔ３は、タイミングｔ２の後であるが、タイミングｔ２の前であってもよい。すなわち、照明１６および２２が徐々に明るくなっているときに、照明３３が点灯を開始してもよい。
【００４０】
照明３３の照度は、照明１６および２２と同様に、徐々に増加し、タイミングｔ３から所定時間後のタイミングｔ５において一定の照度に達する。このとき、照明３３の点灯が開始してから一定の照度に達するまでの時間は、照明１６および２２の点灯が開始してから一定の照度に達するまでの時間よりも長い。すなわち、タイミングｔ３とｔ５との間隔は、タイミングｔ１とｔ２との間隔よりも長い。
【００４１】
また、タイミングｔ４で、便座１２への使用者の着座が検知されると、操作部５２が開き始める。操作部５２が完全に開くと、使用者は、操作部５２を操作可能となる。
【００４２】
なお、タイミングｔ３およびｔ５は、人体検知センサ１７の検知結果に依存するのに対して、タイミングｔ４は、着座検知センサ１８の検知結果に依存する。従って、図５に表した例では、タイミングｔ４がタイミングｔ３とｔ５との間に位置しているが、これらのタイミングの前後関係は、トイレシステム１の使用者の動作によって変化しうる。
【００４３】
次に、例えば、使用者によって局部洗浄や便器洗浄、手洗い器４０を用いた手洗いなどが行われる。その後、タイミングｔ６で、人体検知センサ１７によって使用者が検知されなくなる（使用者がトイレ室ＴＲから退室する）と、その所定時間後のタイミングｔ７で、照明１６、２２、および３３の消灯が開始される。照明１６、２２、および３３の照度は、点灯時と同様に、所定の時間をかけて徐々に低下する。図５に表した例では、照明１６、２２、および３３のそれぞれの消灯開始から消灯までの時間が同じであるが、これらの時間は互いに異なっていてもよい。
【００４４】
また、タイミングｔ６から所定時間後のタイミングｔ８で、照明５３および５４が消灯し、便蓋１３および操作部５２が閉じる。
【００４５】
以上で説明した各構成要素の動作は、例えば、制御部１５によって、直接的または間接的に制御される。例えば、照明１６の点灯および消灯は、制御部１５によって制御される。また、照明２２、３３、５３、および５４については、制御部１５が、制御部２１、３１、および５１のそれぞれに信号を送信し、各制御部が、受信した信号に基づいてそれぞれの照明の点灯および消灯を制御する。操作部５２については、制御部１５が、制御部５１に信号を送信し、制御部５１が、受信した信号に基づいて操作部５２の開閉動作を制御する。
【００４６】
上述したように、本実施形態では、使用者がトイレ室ＴＲに入室した際に、まず、照明１６および２２が点灯し、その後、照明３３が点灯する。すなわち、トイレ室ＴＲ内において、まず、トイレ装置１０および鏡２０の照明によって人の目線の高さと比較的近い位置が照らされ、その後に、キャビネット３０の照明によって足元が照らされる。
【００４７】
トイレ室ＴＲは、壁によって囲まれているため、トイレ室ＴＲの設置環境などによっては、使用者が入室した際に、室内における明るさが十分でない場合がある。上述した照明順序の制御によれば、まず人の目線の高さに比較的近い位置が照明１６および照明２２によって照らされるため、トイレ室ＴＲ内の状況の確認がすぐに行える。そして、その後に照明３３によってトイレ室ＴＲの床面ＦＳが照らされることで、足元の安全確認を行うことができる。このため、トイレ室ＴＲの使い勝手を向上させることができる。また、各照明をずらして点灯させることで、トイレ室ＴＲ内における明るさの変化を抑制し、使用者が眩しさを感じにくくするとともに、照明による演出性を高めることが可能となる。
【００４８】
特に、図５に表したタイミングチャートでは、使用者の入室が検知されるとともに、便蓋１３が開く。このとき、使用者の注意は便蓋１３に惹きつけられる。このことから、便蓋１３が開いた状態で、便蓋１３と比較的近い高さを、トイレ装置１０の照明１６および鏡２０の照明２２によって照らすことで、演出性を高めることが可能となる。
【００４９】
また、照明１６、２２、および３３を点灯させる際に、これらの照明を時間をかけて徐々に明るくすることで、トイレ室ＴＲ内における明るさの変化をより一層抑制しつつ、演出性をさらに高めることが可能となる。
【００５０】
このとき、図５に表したタイミングチャートのように、照明３３を、照明１６および２２よりも時間をかけて徐々に明るくすることが望ましい。これは、以下の理由による。
照明３３は、トイレ室ＴＲの床面ＦＳを照らすものであり、照明１６および２２に比べて、使用者の視界に入り難い。照明３３の点灯開始から所定の照度に達するまでの時間を、照明１６および２２の点灯開始から所定の照度に達するまでの時間よりも長くすることで、使用者に対して照明の演出効果の訴求性を高めるとともに、照明３３の点灯と、照明１６および２２の点灯と、の間で緩急を付け、演出性をより一層高めることが可能となる。
【００５１】
さらに、便座１２への使用者の着座を検知した際に操作部５２を開けることで、使用者の動きに合わせたシステムの動作が可能となり、演出性をさらに高めるとともに、使い勝手を向上させることが可能となる。
【００５２】
また、例えば、老齢者の場合、若齢者に比べて、光に対する感度が低い。このため、トイレシステムを主に老齢者が使用する場合、照度を高めに設定することが望ましい。リモコン５０の操作部５２によって、照明１６、２２、および３３の少なくともいずれかの照度および色温度の少なくとも一方を設定可能とすることで、これらの条件をトイレシステムの使用者に合わせて変更することができ、トイレシステムの使い勝手をさらに向上させることが可能となる。
【００５３】
次に、図６〜図８を用いて、第１実施形態に係るトイレシステム１の他の動作について説明する。
図６〜８は、第１実施形態に係るトイレシステム１が有する各構成要素の動作の他の一例を表すタイミングチャートである。
図６〜８において、チャートの左側には各構成要素の名称が記載されている。また、横軸は時間を表し、縦軸は各構成要素の動作を表している。
【００５４】
まず、トイレシステムの使用者が、便座１２に着座せずに立小便のみを行う場合の、各構成要素の動作について、図６を用いて説明する。
図６に表すタイミングチャートのタイミングｔ０〜ｔ３において、人体検知センサ１７によって人体が検知されると、便蓋１３が開き、照明１６、２２、３３、５３、および５４が点灯する点については、図５に表すタイミングチャートと同様である。
【００５５】
一方で、タイミングｔ４で着座検知センサ１８による着座が検知されないことから、操作部５２は閉じたままである。その後、タイミングｔ６で使用者が退室すると、タイミングｔ７で照明１６、２２、および３３の消灯が開始し、タイミングｔ８で便蓋１３が閉じられるとともに、照明５３および５４が消灯する。
【００５６】
すなわち、トイレシステム１の動作は、使用者が立小便のみを行う場合、操作部５２の開閉が行われない点で、使用者が便座１２に着座する場合と相違する。
【００５７】
次に、深夜におけるトイレシステム１の動作について、図７を用いて説明する。
図７に表したタイミングチャートは、タイミングｔ１において、人体検知センサ１７によって使用者が検知された場合でも、照明２２が点灯しない点で、図５に表したタイミングチャートと相違する。すなわち、深夜では、トイレ室ＴＲに使用者が入室した場合であっても、照明２２は点灯しない。
【００５８】
鏡２０が有する照明２２は、他の照明に比べて、使用者が便座１２に着座した際に光源の一部が見えやすく、使用者が眩しさを感じる場合がある。特に深夜では、眩しさによって使用者の眠気が覚めてしまう場合もあり、望ましくない。図７に表したように、深夜では照明２２を点灯させないことで、使用者の覚醒を抑制し、トイレシステムの使い勝手を向上させることができる。
【００５９】
次に、トイレ装置１０の使用者が、深夜において便座１２に着座せずに、立小便のみを行う場合の各構成要素の動作について、図８を用いて説明する。
図８に表したタイミングチャートは、タイミングｔ１において、照明２２が点灯しない点で、図６に表したタイミングチャートと相違する。すなわち、立小便時においても、比較的光源が見えやすい照明２２を消灯させることで、図７と同様に、深夜における使用者の覚醒を抑制することができる。
【００６０】
なお、図７および図８に表した動作を行う時間帯は、使用者が適宜変更可能である。すなわち、上述の説明では、便宜的に深夜と記載したが、深夜以外の時間帯に、トイレシステム１に図７および図８に表した動作を行うように設定することも可能である。
【００６１】
（第２実施形態）
次に、図９〜図１２を用いて、第２実施形態に係るトイレシステムについて説明する。第２実施形態に係るトイレシステムは、例えば、図１〜図４に表した第１実施形態に係るトイレシステム１と同様の構成要素を備え、各構成要素の動作が第１実施形態と異なる。
【００６２】
図９〜図１２は、第２実施形態に係るトイレシステムが有する各構成要素の動作の一例を表すタイミングチャートである。
図９〜図１２において、チャートの左側には各構成要素の名称が記載されている。また、図９〜図１２において、横軸は時間を表し、縦軸は各構成要素の動作を表している。
【００６３】
まず、図９を用いて、第２実施形態に係るトイレシステムにおける通常の動作について説明する。
図９において、タイミングｔ０は、図５と同様に、人体検知センサ１７によって人体が検知されておらず、着座検知センサ１８によって着座が検知されていない状態である。この状態では、便蓋１３および操作部５２は閉じ、各照明は消灯している。
【００６４】
次に、タイミングｔ１で人体検知センサ１７によって使用者が検知されると、便蓋１３が開き、照明３３、５３、および５４が点灯し始める。照明５３および５４の照度はステップ状に増大するのに対して、照明３３の照度は、徐々に増加し、タイミングｔ１から所定時間後のタイミングｔ２において一定の照度に達する。また、タイミングｔ１では、照明１６および２２は、点灯を開始せず、消灯したままである。
【００６５】
次に、タイミングｔ１から所定時間後のタイミングｔ３で、照明１６および２２が点灯し始める。なお、図９に表した例では、タイミングｔ３はタイミングｔ２の後であるが、タイミングｔ２の前であってもよい。
【００６６】
照明１６および２２の照度は、徐々に増加し、タイミングｔ３から所定時間後のタイミングｔ５において一定の照度に達する。このとき、タイミングｔ３とｔ５との間隔は、例えば、タイミングｔ１とｔ２との間隔よりも短い。
【００６７】
タイミングｔ４で、便座１２への使用者の着座が検知されると、操作部５２が開き、使用者が操作部５２を操作可能になる。
【００６８】
次に、タイミングｔ６で、人体検知センサ１７によって使用者が検知されなくなる（使用者がトイレ室ＴＲから退室する）と、その所定時間後のタイミングｔ７で、照明１６、２２、および３３の消灯が開始される。照明１６、２２、および３３の照度は、点灯時と同様に、所定の時間をかけて徐々に低下する。また、タイミングｔ６から所定時間後のタイミングｔ８で、照明５３および５４が消灯し、便蓋１３および操作部５２が閉じる。
【００６９】
上述したように、本実施形態では、使用者がトイレ室ＴＲに入室した際に、まず、照明３３が点灯し、その後、照明１６および２２が点灯する。すなわち、トイレ室ＴＲ内において、まず、キャビネット３０の照明によって足元が照らされ、その後に、トイレ装置１０および鏡２０の照明によってトイレ室ＴＲの内部が照らされる。
【００７０】
上述した照明順序の制御によれば、使用者がトイレ室ＴＲに入室した際に、まずトイレ室ＴＲの床面ＦＳが照らされるため、安全にトイレ室ＴＲ内を移動することができる。また、照明３３を点灯させた後に、照明１６および２２を点灯させるため、トイレ室ＴＲ内における明るさの変化を抑え、使用者への眩しさを低減させるとともに、照明による演出性を高めることが可能となる。
【００７１】
また、各照明を点灯させる際に、時間をかけて徐々に明るくすることで、第１実施形態と同様に、トイレ室ＴＲ内における明るさの変化をより一層抑制しつつ、演出性をさらに高めることが可能である。
【００７２】
図１０は、トイレシステムの使用者が、便座１２に着座せずに立小便のみを行う場合の、各構成要素の動作を表したものである。
トイレ装置１０の使用者が立小便のみを行う場合、タイミングｔ４において着座検知センサ１８による着座が検知されないため、操作部５２が開かない。すなわち、図１０に表したタイミングチャートは、操作部５２の開閉が行われない点で、図９に表したタイミングチャートと相違する。
【００７３】
図１１は、深夜において、トイレシステムの使用者が、便座１２に着座してトイレ装置１０を使用する場合の、各構成要素の動作を表したものである。
図１２は、深夜において、トイレ装置１０の使用者が便座１２に着座せず、立小便のみを行う場合の各構成要素の動作を表したものである。
図１１および図１２に表したタイミングチャートは、第１実施形態に係るトイレシステム１の動作と同様に、照明２２が点灯しない点で、図９および図１０に表したタイミングチャートと異なる。すなわち、図１１および図１２に表したタイミングチャートは、タイミングｔ１において人体検知センサ１７によって人体が検知された場合であっても、照明２２が点灯しない点で、図９および図１０に表したタイミングチャートと相違する。
【００７４】
図１１および図１２に表したタイミングチャートの動作によれば、第１実施形態と同様に、深夜において照明２２を点灯させないことで、使用者の覚醒を抑制し、トイレシステムの使い勝手を向上させることができる。
【００７５】
また、以上で説明した第１実施形態および第２実施形態に係る発明は、特に、トイレシステムが住宅内に設けられる場合に有効である。一般的に、住宅において、トイレシステムは廊下に設けられる。すなわち、トイレシステムの利用者は、住宅の廊下を通ってトイレ室ＴＲに入室する。このとき、住宅内で照明が必要となる夕方から夜間にかけて、トイレシステムの使用者は、明るい室内から暗い廊下を通り、トイレ室ＴＲに入室することが考えられる。あるいは、深夜では、暗い室内から暗い廊下を通り、トイレ室ＴＲに入室する。このような場合に、トイレ室ＴＲ内の照明が一斉に点灯し、照度が急激に変化すると、使用者に大きな不快感を与える。特に、深夜では、急激な照度の変化は、使用者を覚醒させてしまうという課題がある。
また、老齢者の場合、若齢者に比べて、明るさの変化に対する感度が高いと言われている。すなわち、老齢者の場合、若齢者に比べて、照度の変化をより不快に感じる可能性がある。
これに対して、実施形態に係るトイレシステムによれば、複数の照明の一部が、他の一部と異なるタイミングで点灯を開始するとともに、各照明の照度を徐々に高めている。このため、トイレ室ＴＲ内における照度の変化を抑えることができ、使用者が暗い廊下からトイレ室ＴＲに入った場合でも、照度の変化による不快感を使用者に与えにくい。特に、深夜においては、一部の照明（照明２２）を点灯させないことで、照度の変化をさらに抑えている。このため、実施形態に係るトイレシステムによれば、老齢者にも不快感を与えにくく、深夜において使用者を覚醒させてしまう可能性を低減し、使い勝手を向上させることが可能となる。
【００７６】
なお、実施形態に係るトイレシステムを表す図１では、天井に設けられた照明が省略されている。天井の照明は、使用者の入室に併せて自動で点灯されても良いし、使用者がスイッチによって点灯させても良い。使用者は、例えば、実施形態に係るトイレシステムが備える各照明およびこの不図示の天井照明の照度を調節することによって、トイレ室ＴＲ内の適切な照度の確保を行うことができる。
【００７７】
また、上述した各実施形態では、鏡２０が照明２２を有する場合について説明した。しかし、各実施形態に係るトイレシステムにおいて、鏡２０は照明２２を有していなくてもよい。この場合であっても、各実施形態に係るトレイシステムが有する他の照明は、例えば、図５〜図１２に表すタイミングチャートと同様に制御することができる。
【００７８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１０、鏡２０、キャビネット３０、手洗い器４０、およびリモコン５０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７９】
１ トイレシステム、  １０ トイレ装置、  １１ 便器、  １２ 便座、  １３ 便蓋、  １４ 本体部、  １５ 制御部、  １６ 照明、  １７ 人体検知センサ、  １８ 着座検知センサ、  ２０ 鏡、  ２１ 制御部、  ２２ 照明、  ３０ キャビネット、  ３１ 制御部、  ３２ カバー、  ３３ 照明、  ４０ 手洗い器、  ４１ ボウル、  ４２ 水栓、  ５０ リモコン、  ５１ 制御部、  ５２ 操作部、  ５２ａ〜５２ｃ ボタン、  ５３ 照明、  ５４ 照明、  ＦＳ 床面、  ＳＷ１ 側壁、  ＴＲ トイレ室
【図１】
2017169901.tif 000003
【図２】
2017169901.tif 000004
【図３】
2017169901.tif 000005
【図４】
2017169901.tif 000006
【図５】
2017169901.tif 000007
【図６】
2017169901.tif 000008
【図７】
2017169901.tif 000009
【図８】
2017169901.tif 000010
【図９】
2017169901.tif 000011
【図１０】
2017169901.tif 000012
【図１１】
2017169901.tif 000013
【図１２】
2017169901.tif 000014